(57)【要約】【課題】包装工程の効率低下や包装の機能低下を招くことなく包装用フィルムを容易に除去し得る収容ケースを提供する。【解決手段】被収容体を収容可能に構成されると共に、被収容体の収容状態において互いに対向する一対の主板１１ａ，１１ｂと、対向状態における両主板１１ａ，１１ｂの縁部２２ａ，２２ｂよりも内側に位置するように両主板１１ａ，１１ｂに形成された側板１２ａ，１２ｂとを備え、両主板１１ａ，１１ｂには、収容ケース１を覆う包装用フィルムを破断可能な破断部１３ａ，１３ｂが両主板１１ａ，１１ｂの対向状態において側板１２ａ，１２ｂよりも外側に位置する外周部２１ａ，２１ｂに形成されている。【選択図】図１
2007331811.tif 000002
【特許請求の範囲】
【請求項１】
被収容体を収容可能に構成されると共に、前記被収容体の収容状態において互いに対向する一対の主板と、当該対向状態における前記両主板の縁部よりも内側に位置するように当該両主板の少なくとも一方に形成された側板とを備えた収容ケースであって、
前記両主板の少なくとも一方には、当該収容ケースを覆う包装用フィルムを破断可能な破断部が前記対向状態において前記側板よりも外側に位置する外周部に形成されている収容ケース。
【請求項２】
前記主板における前記縁部の所定部位には切り欠きが形成され、
前記破断部は、前記所定部位の前記縁部で構成されている請求項１記載の収容ケース。
【請求項３】
前記破断部は、その先端が前記縁部よりも内側に位置するように前記外周部に形成された突起部を備えて構成されている請求項１記載の収容ケース。
【請求項４】
前記主板および前記側板をそれぞれ備えて互いに嵌合可能に構成された第１ケースおよび第２ケースと、折り曲げ可能に前記各主板にそれぞれ接合されて当該両ケースを連結する背板とを備え、
前記破断部は、前記少なくとも一方の主板における前記背板に対向する位置の前記外周部に形成されている請求項１から３のいずれかに記載の収容ケース。
【発明の詳細な説明】
【技術分野】
【０００１】
本発明は、被収容体を収容可能に構成された収容ケースに関するものである。
【背景技術】
【０００２】
この種の記録媒体収容ケースとして、特開平９−１６５０８４号公報に開示されたカセット収納ケース（以下、単に「ケース」ともいう）が知られている。このケースは、平板部および枠部等を有する収納部と、収納部に嵌合する蓋部と、収納部および蓋部を連結する折曲カバー部とを備えて、記録媒体としてのビデオテープカセット（以下、「ビデオテープ」ともいう）を収容可能に構成されている。このケースでは、ビデオテープの収納時において、収納部における枠部の内側面や、枠部に形成された圧接部および保持部が、ビデオテープの側面、背面および前面に当接することにより、ビデオテープをがたつきなく収納することが可能となっている。
【特許文献１】特開平９−１６５０８４号公報（第３−４頁、図１）
【発明の開示】
【発明が解決しようとする課題】
【０００３】
ところが、上記のケースには、以下の問題点がある。すなわち、この種のケースは、一般的に、ビデオテープを収容した状態でビデオテープと共に流通・販売される。この場合、ケースの汚れや破損を防止するために、工場出荷の段階で樹脂製の包装用フィルム等によってケースの周囲が包装される。ここで、この種の包装として、ケースの上面、下面、背面および前面に包装用フィルムを巻き付けた後に、巻き付けた包装用フィルムの両端部をケースの左右両側面を覆うようにして折り畳んで接着するいわゆるキャラメル包装や、ケースの上面、下面および背面を覆うようにして包装用フィルムでケースを挟み込み、各面に包装用フィルムを密着させた状態で左右両側部および前面部の三方において包装用フィルムを加熱接着（シール）する包装（以下、この包装を「三方シールシュリンク包装」ともいう）が知られている。この場合、ケースの下面や上面と側面との間に段差が存在したとしても包装が可能で、かつ折り畳みの工程が不要な分、作業効率の向上が可能なことから、上記のケースのように収納部と蓋部とを嵌合させるブック型のケースを包装する際には、一般的に、三方シールシュリンク包装が採用されている。
【０００４】
しかしながら、三方シールシュリンク包装によって上記のケースを覆っている包装用フィルムを除去する際には、包装用フィルムがケースに密着しており、包装用フィルムを摘むのが困難なため、刃物等を用いて包装用フィルムに切り込みを形成して、その切込みを摘んで包装用フィルムを引き剥がしたり、刃物等を用いて包装用フィルムを切り開いたりする必要があり、煩雑であるという問題点が存在する。この場合、シール部分の接着力をやや弱めてその部分において包装用フィルムを破断させる方法が考えられる。しかしながら、この方法では、適度に弱めた接着力で包装用フィルムを安定的に接着させるのが困難なため、包装不良が発生しやすく、包装工程の効率が低下するおそれがある。したがって、この方法を採用するのは困難である。また、包装用フィルムに予め切り込みを設ける方法も考えられる。しかしながら、この方法では、流通段階において包装用フィルムが破断してケースを保護するという包装の機能が低下するおそれがある。したがって、この方法を採用するのも困難である。
【０００５】
本発明は、かかる問題点に鑑みてなされたものであり、包装工程の効率低下や包装の機能低下を招くことなく包装用フィルムを容易に除去し得る収容ケースを提供することを主目的とする。
【課題を解決するための手段】
【０００６】
上記目的を達成すべく本発明に係る収容ケースは、被収容体を収容可能に構成されると共に、前記被収容体の収容状態において互いに対向する一対の主板と、当該対向状態における前記両主板の縁部よりも内側に位置するように当該両主板の少なくとも一方に形成された側板とを備えた収容ケースであって、前記両主板の少なくとも一方には、当該収容ケースを覆う包装用フィルムを破断可能な破断部が前記対向状態において前記側板よりも外側に位置する外周部に形成されている。
【０００７】
この場合、前記主板における前記縁部の所定部位に切り欠きを形成し、前記所定部位の前記縁部で前記破断部を構成することができる。
【０００８】
また、その先端が前記縁部よりも内側に位置するように前記外周部に形成された突起部を備えて前記破断部を構成することができる。
【０００９】
また、前記主板および前記側板をそれぞれ備えて互いに嵌合可能に構成された第１ケースおよび第２ケースと、折り曲げ可能に前記各主板にそれぞれ接合されて当該両ケースを連結する背板とを備え、前記いずれかの主板における前記背板に対向する位置の前記外周部に前記破断部を形成することができる。
【発明の効果】
【００１０】
本発明に係る収容ケースによれば、収容ケースを覆う包装用フィルムを破断可能な破断部を両主板の対向状態において側板よりも外側に位置する外周部に形成したことにより、例えば、三方シールシュリンク包装によって収容ケースを覆っている包装用フィルムを除去する際に、指先で包装用フィルムを破断部に向けて押し付けて、例えば破断部に沿って指先を移動させることで、刃物等を用いることなく包装用フィルムに亀裂を生じさせることができる。このため、その亀裂の生じた部分を摘んで包装用フィルムを切り開くことで包装用フィルムを短時間でしかも容易に除去することができる。また、シール部分を十分な接着力でシールした包装用フィルムに対して確実に亀裂を生じさせることができる。したがって、包装用フィルムを破断させ易くするためにシール部分の接着力を弱めて包装を行う必要がないため、包装不良の発生に起因する包装工程の効率低下を確実に防止することができる。また、包装用フィルムを破断させ易くするために包装用フィルムに予め切り込みを設ける必要がないため、流通段階において包装用フィルムが破断して収容ケースを保護する包装の機能が低下する事態を確実に防止することができる。
【００１１】
また、本発明に係る収容ケースによれば、主板における縁部の所定部位に切り欠きを形成し、その切り欠きを形成した所定部位の縁部で破断部を構成したことにより、縁部に形成した切り欠きが比較的目立ち難いため、包装用フィルムに対して確実に亀裂を生じさせる機能を収容ケースの外観を損なうことなく収容ケースに対して付加することができる。
【００１２】
さらに、本発明に係る収容ケースによれば、その先端が縁部よりも内側に位置するように外周部に形成した突起部を備えて破断部を構成したことにより、例えば、流通過程において破断部の形成部位に向けて物が衝突したとしても、突起部の先端が縁部よりも内側に位置しているため、その衝突に起因する包装用フィルムの破断を確実に防止することができる。
【００１３】
また、本発明に係る収容ケースによれば、主板における背板に対向する位置の外周部に破断部を形成したことにより、例えば、三方シールシュリンク包装によって収容ケースを覆っている包装用フィルムを除去する際に、背板に対向する部位、つまり収容ケースを開放する際に第１ケースおよび第２ケースを押し開く前面側の部位において包装用フィルムに亀裂を生じさせることができる。このため、前面側に亀裂を生じさせた状態で両ケースを押し開くという１つの動作で、収容ケースの開放と包装用フィルムの切り開きおよび除去とを同時に行うことができる。
【発明を実施するための最良の形態】
【００１４】
以下、本発明に係る収容ケースの最良の形態について、添付図面を参照して説明する。
【００１５】
図１に示す収容ケース１は、本発明に係る収容ケースの一例であって、同図および図２，４に示すように、互いに嵌合可能な下ケース２ａおよび上ケース２ｂ（以下、両ケース２ａ，２ｂを区別しないときには「ケース２」ともいう）と、背板３とを備えて、本発明における被収容体としての情報媒体（一例として、デジタルビデオテープ）を収容可能に構成されている。また、収容ケース１は、ブック型の収容ケースであって、図１に示すように、両ケース２ａ，２ｂの嵌合状態における形状が全体として直方体状となるように構成されている。この場合、両ケース２ａ，２ｂおよび背板３は、例えば、樹脂材料の射出成形によって一体に形成されている。
【００１６】
下ケース２ａは、本発明における第１ケースに相当し、図２，４に示すように、主板１１ａおよび４つの側板１２ａを備えて、上ケース２ｂに対して嵌合可能に構成されている。また、下ケース２ａは、図１に示すように、上ケース２ｂとの嵌合状態において、情報媒体を収容可能な収容部１ａを形成する。主板１１ａは、図２，４に示すように、矩形（具体的には長方形）の板状に形成されると共に、図１に示すように、両ケース２ａ，２ｂの嵌合状態（情報媒体の収容状態）において後述する上ケース２ｂの主板１１ｂに対向するように構成されている。側板１２ａは、両ケース２ａ，２ｂの嵌合状態（両主板１１ａ，１１ｂの対向状態）において両主板１１ａ，１１ｂの縁部２２ａ，２２ｂよりも内側（収容部１ａ側）に位置するようにして縁部２２ａに沿って主板１１ａに立設（形成）されている。
【００１７】
また、図２，４に示すように、主板１１ａには、複数の切り欠き３１ａが形成されている。ここで、切り欠き３１ａの形成部位（本発明における所定部位）は、両ケース２ａ，２ｂの嵌合状態において側板１２ａよりも外側に位置する主板１１ａの外周部２１ａ（図１参照）のうちの背板３に対向する位置の外周部２１ａにおける両側部側に規定されている。また、各切り欠き３１ａは、図３に示すように、両ケース２ａ，２ｂの嵌合状態において上ケース２ｂの主板１１ｂに対向する主面４１ａ側（同図における上の面側）の縁部２２ａをくさび状に切り取ることにより、底部側に向かうに従って幅が狭くなる形状に形成されている。この場合、切り欠き３１ａが形成された縁部２２ａによって後述する包装用フィルム１００を破断可能な破断部１３ａが構成される。
【００１８】
上ケース２ｂは、本発明における第２ケースに相当し、図２，４に示すように、主板１１ｂおよび３つの側板１２ｂを備えて構成されている。主板１１ｂは、両図に示すように、矩形（具体的には長方形）の板状に形成されている。側板１２ｂは、図１に示すように、両ケース２ａ，２ｂの嵌合状態において両主板１１ａ，１１ｂの縁部２２ａ，２２ｂよりも内側（収容部１ａ側）に位置するようにして縁部２２ｂに沿って主板１１ｂに立設（形成）されている。
【００１９】
また、図４に示すように、主板１１ｂには、複数の切り欠き３１ｂが形成されている。ここで、切り欠き３１ｂの形成部位（本発明における所定部位）は、両ケース２ａ，２ｂの嵌合状態において側板１２ｂよりも外側に位置する主板１１ｂの外周部２１ｂ（図１参照）のうちの背板３に対向する位置の外周部２１ｂにおける両側部側に規定されている。また、各切り欠き３１ｂは、図４に示すように、両ケース２ａ，２ｂの嵌合状態において下ケース２ａの主板１１ａに対向する主面４１ｂ側の縁部２２ｂをくさび状に切り取ることにより、上記した切り欠き３１ａと同様の形状に形成されている。この場合、切り欠き３１ｂが形成された縁部２２ｂによって包装用フィルム１００を破断可能な破断部１３ｂが構成される。
【００２０】
なお、以下の説明において、上記した主板１１ａ，１１ｂを区別しないときには「主板１１」ともいい、側板１２ａ，１２ｂを区別しないときには「側板１２」ともいう。また、縁部２２ａ，２２ｂを区別しないときには「縁部２２」ともいい、外周部２１ａ，２１ｂとを区別しないときには「外周部２１」ともいう。さらに、切り欠き３１ａ，３１ｂを区別しないときには「切り欠き３１」ともいい、破断部１３ａ，１３ｂを区別しないときには「破断部１３」ともいう。
【００２１】
背板３は、図２，４に示すように、矩形（具体的には長方形）の板状に形成されている。また、背板３は、図２，４に示すように、互いに対向する一対の縁部３ａ，３ｂの一方（この例では、縁部３ａ）が下ケース２ａの主板１１ａの一端部（図４における上側の一端部）に折り曲げ可能に接合されると共に、縁部３ａ，３ｂの他方（この例では、縁部３ｂ）が上ケース２ｂにおける主板１１ｂの一端部（同図における下側の一端部）に折り曲げ可能に接合されることにより、両ケース２ａ，２ｂを連結する。
【００２２】
次に、収容ケース１の使用方法について、図面を参照して説明する。
【００２３】
例えば、製造工場において、製造した情報媒体を出荷する際には、まず、収容ケース１に情報媒体を収容する。具体的には、図２に示すように、収容ケース１を展開して、下ケース２ａにおける主板１１ａの上に情報媒体を載置する。次いで、背板３および上ケース２ｂを折り曲げて、下ケース２ａと上ケース２ｂとを嵌合させる。これにより、収容ケース１への情報媒体の収容が完了する。
【００２４】
続いて、収容ケース１の汚れや破損を防止するために、包装機（三方シールシュリンク包装機）を用いて、例えば透明性を有する樹脂（一例として、ＰＥＴ（ポリエチレンテレフタレート）、ＯＰＳ（二軸延伸ポリスチレン）、ポリプロピレン、ポリエチレンおよび多層ポリオレフィン等）によって形成された包装用フィルム１００で情報媒体を収容した収容ケース１の周囲を覆う。この場合、包装機は、まず、収容ケース１の下面（主板１１ａ）、上面（主板１１ｂ）および背面（背板３）を包装用フィルム１００で覆い被せる。次いで、包装機は、包装用フィルム１００にテンションを加えることによって収容ケース１の各面にフィルムを密着させる。続いて、包装機は、その状態のフィルムの外周部を収容ケース１の左側部（図５において左側の側板１２側）、右側部（同図において右側の側板１２側）および前面部（同図において手前側の側板１２側）の三方においてシールする。これにより、同図に示すように、収容ケース１が包装用フィルム１００によって包装される。
【００２５】
一方、上記のように包装用フィルム１００によって包装された収容ケース１に収容されている情報媒体を取り出す際には、まず、収容ケース１を覆っている包装用フィルム１００を除去する。ここで、この収容ケース１では、刃物等を用いて包装用フィルム１００に切り込みを形成することなく包装用フィルム１００を除去することが可能となっている。具体的には、例えば、図６に示すように、指先（爪）で包装用フィルム１００をケース２の破断部１３に向けて押し付けて、破断部１３における切り欠き３１の配列方向に沿って（外周部２１の縁部２２ａに沿って）指先を移動させる。この際に、同図に示すように、破断部１３における切り欠き３１の縁部（隣接する切り欠き３１，３１間の頂部）が包装用フィルム１００に食い込むことによって包装用フィルム１００が破断する。次いで、破断した部位Ｐ１の縁部を指先で引っ掛けた状態で同図に矢印で示す移動方向側に引っ張ることで、例えば切り欠き３１の配列方向に直交する向きに沿った亀裂が生じる。次いで、その亀裂の生じた部分を摘んで包装用フィルム１００を切り開いて除去する。続いて、収容ケース１を展開して、下ケース２ａから情報媒体を取り出す。これにより、刃物等を用いることなく包装用フィルム１００が容易に除去されて、短時間のうちに情報媒体が取り出される。
【００２６】
次に、本発明に係る収容ケースの他の構成例としての収容ケース１０１（図７参照）について説明する。なお、収容ケース１０１において、収容ケース１と同じ構成要素についは、同一の符号を付して、重複する説明を省略する。収容ケース１０１は、同図に示すように、収容ケース１における破断部１３に代えて、複数の突起部１３１（本発明における突起部の一例）を有する破断部１１３を備えて構成されている。この場合、突起部１３１は、半球状に構成されると共に、その先端が主板１１（この例では主板１１ａ）の縁部２２ａよりも側板１２ａ側（収容部１ａ側）に位置するように外周部２１ａに形成されている。つまり、突起部１３１は、その先端が収容ケース１０１を覆っている包装用フィルム１００に当たらないように形成されている。
【００２７】
この収容ケース１０１を覆っている包装用フィルム１００を除去する際には、指先で包装用フィルム１００を破断部１１３に向けて押し付けて、破断部１１３における突起部１３１の配列方向に沿って（外周部２１の縁部に沿って）指先を移動させる。この際に、上記した収容ケース１と同様にして、破断部１１３の突起部１３１によって包装用フィルム１００が破断して亀裂が生じる。次いで、その亀裂の生じた部分を摘んで包装用フィルム１００を切り開いて除去する。これにより、刃物等を用いることなく包装用フィルム１００が容易に除去される。
【００２８】
このように、この収容ケース１によれば、収容ケース１を覆う包装用フィルム１００を破断可能な破断部１３または破断部１１３を両ケース２の嵌合状態（両主板１１の対向状態）において側板１２よりも外側に位置する主板１１の外周部２１に形成したことにより、例えば、三方シールシュリンク包装によって収容ケース１を覆っている包装用フィルム１００を除去する際に、指先で包装用フィルム１００を破断部１３，１１３に向けて押し付けて、破断部１３における切り欠き３１の配列方向または破断部１１３における突起部１３１の配列方向に沿って指先を移動させることで、刃物等を用いることなく包装用フィルム１００に亀裂を生じさせることができる。このため、その亀裂の生じた部分を摘んで包装用フィルム１００を切り開くことで包装用フィルム１００を短時間でしかも容易に除去することができる。また、シール部分を十分な接着力でシールした包装用フィルム１００に対して確実に亀裂を生じさせることができる。このため、包装用フィルム１００を破断させ易くするためにシール部分の接着力を弱めて包装を行う必要がないため、包装不良の発生に起因する包装工程の効率低下を確実に防止することができる。また、包装用フィルム１００を破断させ易くするために包装用フィルム１００に予め切り込みを設ける必要がないため、流通段階において包装用フィルム１００が破断して収容ケース１を保護する包装の機能が低下する事態を確実に防止することができる。
【００２９】
また、この収容ケース１によれば、主板１１における縁部２２の所定部位に切り欠き３１を形成し、その切り欠き３１を形成した所定部位の縁部２２で破断部１３を構成したことにより、縁部２２に形成した切り欠き３１が比較的目立ち難いため、包装用フィルム１００に対して確実に亀裂を生じさせる機能を収容ケース１の外観を損なうことなく収容ケース１に対して付加することができる。
【００３０】
また、この収容ケース１によれば、その先端が縁部２２よりも内側（収容部１ａ側）に位置するように外周部２１に形成した突起部１３１を備えて破断部１１３を構成したことにより、例えば、流通過程において破断部１１３の形成部位に向けて物が衝突したとしても、突起部１３１の先端が縁部２２よりも内側に位置しているため、その衝突に起因する包装用フィルム１００の破断を確実に防止することができる。
【００３１】
また、この収容ケース１によれば、主板１１における背板３に対向する位置の外周部２１に破断部１３を形成したことにより、例えば、三方シールシュリンク包装によって収容ケース１を覆っている包装用フィルム１００を除去する際に、背板３に対向する部位、つまり収容ケース１を開放する際に両ケース２を押し開く前面側の部位において包装用フィルム１００に亀裂を生じさせることができる。このため、前面側に亀裂を生じさせた状態で両ケース２を押し開くという１つの動作で、収容ケース１の開放と包装用フィルム１００の切り開きおよび除去とを同時に行うことができる。
【００３２】
なお、本発明は、上記した構成に限定されない。例えば、主板１１における背板３との接合部位に対向する外周部２１に破断部１３を形成した例について上記したが、破断部１３の形成位置はこれに限定されず、外周部２１における任意の位置に形成することができる。また、破断部１３の数も任意に規定することができる。また、底部側に向かうに従って幅が狭くなる形状の切り欠き３１を形成した主板１１の縁部２２で破断部１３を構成した例について上記したが、破断部１３の切り欠きの形状はこれに限定されず、図８に示すように、主板１１（この例では主板１１ａ）の縁部２２ａを三角柱状の五面体で切り取ることにより、底部が主板１１の主面４１ａに対して傾斜しかつ側部が主面４１ａに対して直交する形状の切り欠き２３１を採用することもできる。また、半球状の突起部１３１を備えて破断部１１３を構成した例について上記したが、突起部１３１の形状はこれに限定されず、図９に示す四角柱状の突起部３３１や、図１０に示す三角柱状の突起部４３１を採用することもできる。
【００３３】
さらに、図１１に示す収容ケース２０１のように、複数のリブ５３１（本発明における突起部の他の一例）を備えた破断部２１３を採用することもできる。この場合、リブ５３１は、扇形の板状に形成されると共に、下面が上ケース２ｂにおける主板１１ｂの外周部２１ｂに連結して側面が側板１２ｂに連結するように射出形成等によって主板１１ｂおよび側板１２ｂと一体に形成されている。また、リブ５３１は、円弧部分の端面において最も収容ケース２０１の外部に位置する部位（本発明における先端）が主板１１ｂにおける外周部２１ｂの縁部２２ｂよりも内側（収容部１ａ側）に位置するように、つまりその部位が外周部２１ｂの縁部２２ｂよりも収容ケース２０１の外側に突出しないように、外周部２１ｂに形成されている。
【００３４】
また、情報媒体の一例としてのデジタルビデオテープを収容可能な収容ケース１を例に挙げて説明したが、これに限定されず、ＶＨＳテープ等のアナログビデオテープ、ＣＤやＤＶＤ等の光情報媒体およびＭＯ等の光磁気情報媒体等の各種の情報媒体を収容するための収容ケースに本発明を適用することができる。また、情報媒体に限定されず、各種の物品を収容するための収容ケースに適用することもできる。さらに、互いに嵌合可能な下ケース２ａと上ケース２ｂとが背板３によつて連結されている収容ケース１を例に挙げて説明したが、下ケースと上ケースとが別体に構成された収容ケースに適用することもできる。
【００３５】
また、下ケース２ａおよび上ケース２ｂの両ケースがそれぞれ主板１１ａ（主板１１ｂ）および側板１２ａ（側板１２ｂ）を備えて構成されている例について上記したが、主板と側板とを備えたケース本体と主板で構成された蓋部とで構成された収容ケースに適用することもできる。この場合、ケース本体と蓋部の少なくとも一方の主板に破断部を形成することができる。また、一面に開口部を有する直方体状に形成されたスリーブタイプの収容ケースに本発明を適用することもできる。また、三方シールシュリンク包装によって収容ケース１を覆っている包装用フィルム１００を除去する例について上記したが、包装用フィルム１００を収容ケース１の四方においてシールする包装方法、筒状の包装用フィルムを収容ケース１の二方においてシールする包装方法、および上記したキャラメル包装等の各種の包装方法によって覆った包装用フィルム１００を除去する際にも、上記と同様にして包装用フィルム１００を短時間でしかも容易に除去することができるのは勿論である。
【図面の簡単な説明】
【００３６】
【図１】収容ケース１の斜視図である。
【図２】展開した状態の収容ケース１の斜視図である。
【図３】下ケース２ａにおける破断部１３の周辺の斜視図である。
【図４】展開した状態の収容ケース１を内面側から見た平面図である。
【図５】包装用フィルム１００で包装した状態の収容ケース１の斜視図である。
【図６】包装用フィルム１００を破断する方法を説明するための説明図である。
【図７】収容ケース１０１における破断部１１３の周辺の斜視図である。
【図８】切り欠き２３１の構成を示す斜視図である。
【図９】突起部３３１の構成を示す斜視図である。
【図１０】突起部４３１の構成を示す斜視図である。
【図１１】収容ケース２０１における破断部２１３の周辺の斜視図である。
【符号の説明】
【００３７】
１，１０１，２０１  収容ケース
２ａ  下ケース
２ｂ  上ケース
３  背板
１１ａ，１１ｂ  主板
１２ａ，１２ｂ  側板
１３ａ，１３ｂ，１１３，２１３  破断部
２１ａ，２１ｂ  外周部
２２ａ，２２ｂ  縁部
３１ａ，３１ｂ，２３１  切り欠き
１００  包装用フィルム
１３１，３３１，４３１  突起部
５３１  リブ
【図１】
2007331811.tif 000003
【図２】
2007331811.tif 000004
【図３】
2007331811.tif 000005
【図４】
2007331811.tif 000006
【図５】
2007331811.tif 000007
【図６】
2007331811.tif 000008
【図７】
2007331811.tif 000009
【図８】
2007331811.tif 000010
【図９】
2007331811.tif 000011
【図１０】
2007331811.tif 000012
【図１１】
2007331811.tif 000013